(57)【要約】【課題】エアレスポンプ式噴出器において、使用時に通気孔が塞がれることにより内容物の吐出不良を生ずるおそれをなくす。【解決手段】エアレスポンプ式噴出器の容器１００を、容器本体１０１と、それに組み付ける底部キャップ１０２とで構成する。底部キャップは、底部１０２ａに、２つの通気孔１０３を有する。また、それらの通気孔に各々連通してそれらを結ぶように、底部外面に通気通路４０を設ける。通気通路は、底部外面に指を当ててエアレスポンプ式噴出器のポンプ２００を作動するとき、その指が入り込まない大きさとし、例えば溝状で、径方向に外面の周縁までのばして形成する。【選択図】図１
2008044649.tif 000002
【特許請求の範囲】
【請求項１】
通気孔を有し、容器本体に組み付けてエアレスポンプ式噴出器の容器の底部を形成する噴出器用容器の底部キャップにおいて、
前記容器の底部外面に指を当てて前記エアレスポンプ式噴出器のポンプを作動するとき、指が入り込まない通気通路を前記通気孔に連通して前記底部外面に形成することを特徴とする噴出器用容器の底部キャップ。
【請求項２】
前記通気通路を前記底部外面に溝状に形成することを特徴とする、請求項１に記載の噴出器用容器の底部キャップ。
【請求項３】
前記通気通路を前記底部外面の周縁までのばして形成することを特徴とする、請求項１または２に記載の噴出器用容器の底部キャップ。
【請求項４】
１つの前記通気通路に連通して前記通気孔を複数設けることを特徴とする、請求項１ないし３のいずれか１に記載の噴出器用容器の底部キャップ。
【請求項５】
複数の前記通気通路を交叉して設けることを特徴とする、請求項１ないし４のいずれか１に記載の噴出器用容器の底部キャップ。
【請求項６】
通気孔を有し、容器本体に組み付けてエアレスポンプ式噴出器の容器の底部を形成する噴出器用容器の底部キャップにおいて、
前記容器の底部外面に指を当てて前記エアレスポンプ式噴出器のポンプを作動するとき、指によってすべてが同時に塞がれるおそれのない位置に、前記通気孔を前記底部外面に複数有することを特徴とする噴出器用容器の底部キャップ。
【請求項７】
請求項１ないし６のいずれか１に記載の底部キャップを備えることを特徴とする、噴出器用容器。
【請求項８】
請求項７に記載の噴出器用容器を備えることを特徴とする、エアレスポンプ式噴出器。
【発明の詳細な説明】
【技術分野】
【０００１】
この発明は、空気に触れさせたくない液体、粘性が高いクリームや乳液などの内容物を吐出する、点鼻用・洗鼻用・喉用・化粧用などのエアレスポンプ式噴出器に関する。および、そのようなエアレスポンプ式噴出器において、ポンプを口部に取り付けて内容物を収容する噴出器用容器に関する。および、通気孔を有し、容器本体に取り付けてエアレスポンプ式噴出器の容器の底部を形成する底部キャップに関する。
【背景技術】
【０００２】
従来、エアレスポンプ式噴出器では、例えば図６に示す点鼻用噴出器のように、噴出器用容器１の口部１ａにポンプ２を取り付けてなる。噴出器用容器１は、容器本体３内にスライド栓４を液密にスライド自在に挿入してから、容器本体３に底部キャップ５を組み付けて構成している。これにより、スライダ栓４により容器１内を内容物収容室６と空気室７とに区画する。空気室７は、底部キャップ５にあけた１または複数の通気孔５ａを通して外部と連通し、大気圧となっている。
【０００３】
そして、使用時は、図７に示すように、ポンプ２のノズル部分２ａを挟んで鍔状の指掛け部２ｂに人差し指と中指を掛けて容器１の底部外面に親指を当て、指掛け部２ｂを引き下げてポンプ２を作動し、ポンプ２の内容物を先端の噴口２ｃから吐出すると同時に、内容物収容室６の内容物である点鼻薬をポンプ２内に吸い上げる。これにより、内容物収容室６を負圧化して、大気圧である空気室７との圧力差からスライダ栓４を上昇していた。
【０００４】
【特許文献１】特開２００３−２１２２６２号公報
【特許文献２】特開２００６−０４４７１０号公報
【特許文献３】特開２００６−１２３９１３号公報
【発明の開示】
【発明が解決しようとする課題】
【０００５】
ところが、このような噴出器では、使用時に、図７に示すように容器１の底部外面に親指を当てたとき、図８（Ａ）や（Ｂ）に鎖線で示すように親指で通気孔５ａを塞いでしまい、空気室７を密閉し、指掛け部２ｂを押し下げてポンプ２を作動したときにスライダ栓４の上昇を妨げ、噴口２ｃから内容物が吐出されないことがある問題があった。
【０００６】
そこで、この発明の目的は、エアレスポンプ式噴出器において、使用時に通気孔が塞がれることにより噴口からの内容物の吐出不良を生ずるおそれをなくすことにある。
【課題を解決するための手段】
【０００７】
そのため、請求項１ないし５に記載の発明は、１または複数の通気孔を有し、容器本体に組み付けてエアレスポンプ式噴出器の容器の底部を形成する噴出器用容器の底部キャップにおいて、
前記容器の底部外面に指を当てて前記エアレスポンプ式噴出器のポンプを作動するとき、指が入り込まない通気通路を前記通気孔に連通して前記底部外面に形成する、ことを特徴とする。
【０００８】
通気通路は、底部キャップの底部外面に溝状に形成するとよく、好ましくは指で塞がれるおそれの少ない底部外面の周縁までのばして形成するとよい。１つの通気通路に連通して通気孔を複数設けるとよく、また複数の通気通路を交叉して設けるとよい。
【０００９】
請求項６に記載の発明は、通気孔を有し、容器本体に組み付けてエアレスポンプ式噴出器の容器の底部を形成する噴出器用容器の底部キャップにおいて、
前記容器の底部外面に指を当てて前記エアレスポンプ式噴出器のポンプを作動するとき、指によってすべてが同時に塞がれるおそれのない位置に、前記通気孔を前記底部外面に複数有する、ことを特徴とする。
【００１０】
請求項７に記載の発明は、請求項１ないし６のいずれか１に記載の底部キャップを噴出器用容器に備えることを特徴とする。請求項８に記載の発明は、請求項７に記載の噴出器用容器をエアレスポンプ式噴出器に備える、ことを特徴とする。
【発明の効果】
【００１１】
請求項１ないし５に記載の発明によれば、容器の底部外面に指を当ててエアレスポンプ式噴出器のポンプを作動するとき、指が入り込まない通気通路を通気孔に連通して底部外面に形成するので、エアレスポンプ式噴出器の使用時に通気孔を介して連通して通気孔が指で塞がれる心配がなく、スライダ栓の上昇が妨げられて噴口からの内容物の吐出不良を生ずるおそれをなくすことができる。
【００１２】
請求項２に記載の発明によれば、通気通路を底部外面に溝状に形成するので、通気通路を底部キャップの底部外面に沿ってのばして通気孔を広範囲に開口し、容器の底部外面に指を当ててエアレスポンプ式噴出器のポンプを作動するとき、底部の外面に押し当てた指から外れる開口をつくって通気孔を塞ぐおそれを少なくすることができる。
【００１３】
請求項３に記載の発明によれば、通気通路を底部外面の周縁までのばして形成するので、容器の底部外面に指を当ててエアレスポンプ式噴出器のポンプを作動するとき、底部外面の周縁までのばした通気通路部分を底部の外面に押し当てた指から外れるようにして通気孔を塞ぐおそれを少なくすることができる。
【００１４】
請求項４に記載の発明によれば、１つの通気通路に連通して通気孔を複数設けるので、１つの通気通路で複数の通気孔が底部の外面に押し当てた指によって塞がれることを防止することができる。また、通気通路の数を少なくして、底部キャップの形状を単純化することができる。
【００１５】
請求項５に記載の発明によれば、複数の通気通路を交叉して設けるので、交叉するところで他方の通気通路とも連通して底部の外面に押し当てた指によって通気孔が塞がれるおそれを一層少なくすることができる。
【００１６】
請求項６に記載の発明によれば、容器の底部外面に指を当ててエアレスポンプ式噴出器のポンプを作動するとき、指によってすべてが同時に塞がれるおそれのない位置に、通気孔を底部外面に複数有するので、エアレスポンプ式噴出器の使用時にすべての通気孔が指で同時に塞がれる心配がなく、スライダ栓の上昇が妨げられて噴口からの内容物の吐出不良を生ずるおそれをなくすことができる。
【００１７】
請求項７に記載の発明によれば、噴出器用容器に、請求項１ないし６のいずれか１に記載の底部キャップを備えるので、エアレスポンプ式噴出器の使用時に指で塞いで通気孔を通しての通気が阻害される心配がなく、スライダ栓の上昇が妨げられて噴口からの内容物の吐出不良を生ずるおそれをなくすことができる。
【００１８】
請求項８に記載の発明によれば、エアレスポンプ式噴出器に、請求項７に記載の噴出器用容器を備えるので、エアレスポンプ式噴出器の使用時に指で塞いで通気孔を通しての通気が阻害される心配がなく、スライダ栓の上昇が妨げられて噴口からの内容物の吐出不良を生ずるおそれをなくすことができる。
【発明を実施するための最良の形態】
【００１９】
以下、図面を参照しつつ、この発明の実施の最良形態につき説明する。
図１には、この発明によるエアレスポンプ式噴出器の縦断面を示す。
【００２０】
図中符号１００は、エアレスポンプ式噴出器の噴出器用容器である。噴出器用容器１００は、プラスチック材料を用いて、外周に雄ねじを有する口部１００ａを設ける容器本体１０１と、それに組み付けて容器１００の底部を形成する底部キャップ１０２とでボトル形状につくる。図２に示すように、底部キャップ１０２は、底板部１０２ａのまわりに外筒部１０２ｂと内筒部１０２ｃとを立ち上げてなり、底板部１０２ａに、この例では２つの通気孔１０３を設ける。また、外筒部１０２ｂの内周面に環状突部１０４を形成し、容器本体１０１の下部に被せて組み付けたときその環状突部１０４を掛け止めて噴出器用容器１００を構成する。
【００２１】
図１に示すように、容器１００の容器本体１０１内には、スライダ栓１０５を液密にスライド自在に挿入してなる。そして、容器１００内を内容物収容室１０６と空気室１０７とに区画する。内容物収容室１０６には、この例では、内容物として液状の点鼻薬が収容されて密閉されている。他方、空気室１０７は、底部キャップ１０２の通気孔１０３を通して外部と連通し、大気圧に保持されている。
【００２２】
容器１００の口部１００ａには、ポンプ２００を取り付ける。ポンプ２００は、そのネジキャップ１０を容器１００の口部１００ａに取り付ける。ネジキャップ１０は、内部にシリンダ１２を取り付ける。シリンダ１２は、内周に下から順に、弁座１３、ピストン突当部１４、開閉弁突当部１５を形成する。外周には、パッキン１７を取り付ける。そして、シリンダ１２の先端を口部１００ａ内に入れて底部に向けてのばし、ネジキャップ１０を、口部１００ａにねじ付けてパッキン１７を圧縮し、口部１００ａにポンプ２００を取り付ける。
【００２３】
シリンダ１２内には、ボール弁１８を入れて弁座１３上に載せて後、コイルスプリング１９を入れ、そのコイルスプリング１９の上に載せてピストン２０の下部を収納する。ピストン２０には内部に吐出通路２１を形成し、またその吐出通路２１と外部とを連通して横孔２２をあける。そして、その横孔２２位置のまわりに樹脂製の開閉弁２３を取り付け、その開閉弁２３の上に、ラバー部材等よりなるリング状の弾性部材２４を取り付ける。
【００２４】
ピストン２０は、ネジキャップ１０の中心孔を貫通して上方へと突出し、先端にスパウト２５を取り付ける。スパウト２５には、中心にセンターポスト２６を入れ、先端にノズル部材２７を取り付ける。スパウト２５の下部まわりには、鍔状の指掛部２８を形成する。ノズル部材２７は、内面に渦溝を形成し、中心に噴口３０を形成する。
【００２５】
いま、この噴出器を使用するときは、手で持って、図７に示すと同様にスパウト２５を挟んで指掛部２８に人差し指と中指を掛けて容器１００の底部外面、すなわち底板部１０２ａの外面に親指を当て、スパウト２５の先端を鼻孔内に入れてスパウト２５を押し下げる。すると、ピストン２０を押し込んでシリンダ室Ｓ内の圧力を上昇するとともに、ピストン２０とともに押し下げる弾性部材２４を変形して開閉弁２３を開き、ポンプ２００のシリンダ室Ｓ内の点鼻薬を横孔２２を通してピストン２０内に入れ、吐出通路２１を通してスパウト２５内に入れ、センターポスト２６まわりを通してノズル部材２７の渦溝で霧状として噴口３０から外部へと吐出し、鼻腔に向けて吹き付ける。
【００２６】
そして、スパウト２５の押し下げとともにピストン２０を押し込んだとき、やがてその下死点近くで開閉弁２３を開閉弁突当部１５に突き当て、以降ピストン２０のみさらなる押し込みを可能とし、ピストン２０のみを押し込んでピストン突当部１４に突き当てる。これにより、シリンダ室Ｓ内の圧力を横孔２２からピストン２０内に逃がし、吐出通路２１を通してスパウト２５内に入れ、スパウト２５内を通して噴口３０から外部へと排出し、完全に除去することができる。
【００２７】
そして、使用後、スパウト２５の押し下げを解除すると、コイルスプリング１９でピストン２０を押し上げてスパウト２５を復帰するとともに、弾性部材２４の変形を戻すことにより開閉弁２３を閉じてシリンダ室Ｓ内を負圧化し、ボール弁１８を開いて容器１００の内容物収容室１０６の点鼻薬をシリンダ室Ｓ内に吸い上げる。これにより、内容物収容室１０６を負圧化して、大気圧である空気室１０７との圧力差からスライダ栓１０５を上昇する。内容物収容室１０６の内容物がなくなると、図３に示すようにスライダ栓１０５は、容器１００内を上死点まで上昇する。
【００２８】
ところで、この例では、図４（Ａ）および（Ｂ）に示すように、底部キャップ１０２に設ける２つの通気孔１０３に各々連通してそれらを結ぶように、底部１０２ａの外面に通気通路４０を設ける。通気通路４０は、溝状で、径方向に容器１００の底部外面の周縁までのばして形成し、図７に示すと同様に容器１００の底部の外面に指を当ててエアレスポンプ式噴出器のポンプ２００を作動するとき、図４（Ａ）および（Ｂ）に鎖線で示すように指が入り込まない大きさとする。例えば、底部キャップ１０２の径をφ２６．３とし、通気孔１０３の径をφ１．２とするとき、通気通路４０の溝幅を１．７とする。
【００２９】
この例では、底部キャップ１０２に、２つの連通孔１０３に連通する１つの通気通路４０を設けたが、図５（Ａ）に示すようにそれぞれ２つの連通孔１０３に連通する２つの通気通路４１、４２を交叉するように設けてもよい。このようにすると、交叉するところで他方の通気通路とも連通して底部１０２ａの外面に押し当てた指によって通気孔１０３が塞がれるおそれを一層少なくすることができる。
【００３０】
もちろん、図５（Ｂ）に示すように、底部キャップ１０２に、１つの連通孔１０３に連通する１つの通気通路４３を設けるようにしてもよい。
【００３１】
また、上述した例では、容器１００の底部外面に指を当ててエアレスポンプ式噴出器のポンプ２００を作動するとき、指が入り込まない通気通路４０を通気孔１０３に連通して底部外面に形成した。しかし、例えば図５（Ｃ）や（Ｄ）に示すように、通気通路を設けなくても、容器の底部外面に指を当ててエアレスポンプ式噴出器のポンプを作動するとき、指によってすべてが同時に塞がれるおそれのない位置に、通気孔１０３を底部キャップ１０２の底部外面に複数設けるようにしてもよい。
【００３２】
図５（Ｃ）に示す例では４つの通気孔１０３を底部外面の周縁近くに９０度間隔で形成し、図５（Ｄ）に示す例では３つの通気孔１０３を底部外面の周縁近くに１２０度間隔で形成してなる。このようにすると、エアレスポンプ式噴出器の使用時にすべての通気孔１０３が指によって同時に塞がれて通気孔１０３を通しての通気が阻害される心配がなく、スライダ栓の上昇が妨げられて噴口からの内容物の吐出不良を生ずるおそれをなくすことができる。
【図面の簡単な説明】
【００３３】
【図１】この発明によるエアレスポンプ式噴出器の縦断面図である。
【図２】その噴出器の容器を構成する底部キャップの部分拡大図である。
【図３】その噴出器において、内容物を吐出し終わった状態の縦断面図である。
【図４】（Ａ）は底部キャップの縦断面図、（Ｂ）はその底面図である。
【図５】（Ａ）は底部キャップの他例の底面図、（Ｂ）はさらに他例の底面図、（Ｃ）はまたさらに他例の底面図、（Ｄ）はさらにまた他例の底面図である。
【図６】従来のエアレスポンプ式の噴出器を片側縦断面にして示す正面図である。
【図７】その噴出器の使用状態図である。
【図８】（Ａ）はその噴出器の容器を構成する底部キャップの縦断面図、（Ｂ）はその底面図である。
【符号の説明】
【００３４】
４０    通気通路
４１    通気通路
４２    通気通路
４３    通気通路
１００    噴出器用容器
１０１    容器本体
１０２    底部キャップ
１０２ａ  底部キャップの底部
１０３    通気孔
２００    ポンプ
【図１】
2008044649.tif 000003
【図２】
2008044649.tif 000004
【図３】
2008044649.tif 000005
【図４】
2008044649.tif 000006
【図５】
2008044649.tif 000007
【図６】
2008044649.tif 000008
【図７】
2008044649.tif 000009
【図８】
2008044649.tif 000010